(57)【要約】【課題】  ビデオサーバで作業参照に用いる低解像度の素材を再利用できる放送素材管理システム、およびその素材管理方法を提供する。【解決手段】  アーカイブビデオサーバ４の入力に接続される作業端末４Ｍが、オンエアされた送出素材を低解像度で記憶保存し、放送済みの放送素材を再編集する場合、各ビデオサーバ２〜４の入力に接続される作業端末２Ｍ〜４Ｍの入力系統に設けられたスイッチである作業管理部５によって、作業端末２Ｍの入力を編集ビデオサーバ２の入力から、作業端末４Ｍの内部記憶手段から読み出されて出力される低解像度の符号化データに切り替えて、編集ビデオサーバ２における編集作業に再利用する。【選択図】  図１
2008060738.tif 000002
【特許請求の範囲】
【請求項１】
入力される放送番組の原素材を編集して放送用の編集素材を作成して出力する編集ビデオサーバと、前記編集ビデオサーバの出力に接続されて前記作成された編集素材が転送入力され、記憶装置に送出素材として蓄積記憶すると共にオンエア時に前記送出素材を読み出してマスターシステムへ向けて送出する送出ビデオサーバと、前記送出ビデオサーバが前記送出する送出素材が入力され保存素材として蓄積記憶するアーカイブビデオサーバとを備えて放送番組の映像信号を扱う放送素材管理システムにおいて、
それぞれが、入力される低解像度の符号化データを記憶蓄積する記憶手段と、前記入力されるか、又は前記記憶装置から読み出される低解像度の符号化データをディスプレイ手段に表示する復号化して出力する復号化手段とを備える第１、第２、第３の作業端末と、
前記編集ビデオサーバの入力に入力される映像信号を低解像度の符号化データにして出力する第１の符号化装置と、
前記送出ビデオサーバの入力に入力される映像信号を低解像度の符号化データにして出力する第２の符号化装置と、
前記アーカイブビデオサーバの入力に入力される映像信号を低解像度の符号化データにして出力する第３の符号化装置と、
それぞれのコモン端子が前記第１、第２、第３の作業端末の入力端子に接続され、それぞれの一方の切替端子が前記第１、第２、第３の符号化装置の出力端子に接続され、他方の切替端子に前記第３の作業端末の前記記憶手段の出力が入力される、第１、第２、第３のスイッチと、
前記各スイッチのコモン端子の接続先を各前記符号化装置か、または、前記第３の作業端末の前記記憶手段の出力のいずれかに設定する設定入力手段とを備える作業管理部とを
具備することを特徴とする放送素材管理システム。
【請求項２】
入力される放送番組の原素材を編集して放送用の編集素材を作成して出力する編集ビデオサーバと、前記編集ビデオサーバの出力に接続されて前記作成された編集素材が転送入力され、記憶装置に送出素材として蓄積記憶すると共にオンエア時に前記送出素材を読み出してマスターシステムへ向けて送出する送出ビデオサーバと、前記送出ビデオサーバが前記送出する送出素材が入力され保存素材として蓄積記憶するアーカイブビデオサーバとを備えて放送番組の映像信号を扱う放送素材管理システムにおいて、
入力される低解像度の符号化データを記憶蓄積する記憶手段と、前記入力されるか、又は前記記憶装置から読み出される低解像度の符号化データをディスプレイ手段に表示する復号化して出力する復号化手段とを備える作業端末と、
前記編集ビデオサーバの入力に入力される映像信号を低解像度の符号化データにして出力する第１の符号化装置と、
前記送出ビデオサーバの入力に入力される映像信号を低解像度の符号化データにして出力する第２の符号化装置と、
前記アーカイブビデオサーバの入力に入力される映像信号を低解像度の符号化データにして出力する第３の符号化装置と、
コモン端子が前記作業端末の入力端子に接続され、第１、第２、第３の切替端子が前記第１、第２、第３の符号化装置の出力端子に接続され、第４の切替端子が前記作業端末の前記記憶手段の出力が入力されるスイッチと、
前記各スイッチのコモン端子の接続先を各前記符号化装置のいずれか、または、前記作業端末の前記記憶手段の出力のいずれかかに設定する設定入力手段を備える作業管理部とを
具備することを特徴とする放送素材管理システム。
【請求項３】
前記各ビデオサーバと前記各作業端末と前記作業管理部とは、前記各ビデオサーバと前記各作業端末と前記作業管理部との間および更に備えられる素材制御サーバ（ＡＭＳ：Ａｓｓｅｔ  Ｍａｎａｇｅｍｅｎｔ  Ｓｅｒｖｅｒ）との間で送受される制御信号を伝送する制御バスにより接続され、
前記作業端末は、
コマンドの入力手段と前記制御バスとの間の通信手段とを備える情報処理端末であって、前記コマンドの入力手段から前記設定入力手段へ前記スイッチの接続先を指定するコマンドが入力された場合、前記作業管理部へ前記制御バスを介して当該コマンドに係る前記制御信号を送信し、
前記作業管理部は前記送信されたコマンドを受信した場合、前記設定入力手段により前記スイッチの接続先を前記指定された接続先に切り替えることを
特徴とする請求項１、又は２記載の放送素材管理システム。
【請求項４】
入力される放送番組の原素材を編集して放送用の編集素材を作成して出力する編集ビデオサーバと、前記編集ビデオサーバの出力に接続されて前記作成された編集素材が転送入力され、記憶装置に送出素材として蓄積記憶すると共にオンエア時に前記送出素材を読み出してマスターシステムへ向けて送出する送出ビデオサーバと、前記送出ビデオサーバが前記送出する送出素材が入力され保存素材として蓄積記憶するアーカイブビデオサーバとを備えて放送番組の映像信号を扱う放送素材管理システムの素材管理方法において、
前記放送素材管理システムは、
編集ビデオサーバと送出サーバとアーカイブサーバと、
第１、第２、第３の符号化装置と、
第１、第２、第３の作業端末と、
第１、第２、第３のスイッチと、
作業管理手段とを備え、
前記第１、第２、第３の符号化装置は、それぞれ前記編集ビデオサーバ、前記送出ビデオサーバ、前記アーカイブビデオサーバの入力に入力される映像信号を低解像度の符号化データにしてそれぞれ対応する第１、第２、第３のスイッチへ出力し、
前記第１、第２、第３の作業端末は、それぞれ対応する前記第１、第２、第３の符号化装置から出力される低解像度の符号化データが前記スイッチを介して入力された場合、入力された符号化データを記憶手段に記憶し、前記入力した、又は前記記憶した前記低解像度の符号化データを記憶手段から読み出し出力するか、または、復号化して出力し、
前記第１、第２、第３のスイッチの各コモン端子は、前記対応する作業端末の入力端子に接続され、前記各スイッチの一方の切替端子は前記それぞれ第１、第２、第３の符号化装置から出力される符号化データが入力され、他方の切替端子に前記第３の作業端末が出力する前記低解像度の符号化データが入力され、
各前記スイッチが前記作業管理手段より前記コモン端子の接続先を前記一方の切替端子に設定された場合、各前記スイッチは、それぞれが前記対応する前記符号化装置から入力される前記符号化データをそれぞれが前記対応する各前記作業端末へ出力し、
各前記スイッチが前記作業管理手段より前記コモン端子の接続先を前記他方の切替端子に設定された場合、各前記スイッチは、前記第３の作業端末から前記入力される低解像度の符号化データをそれぞれが前記対応する各前記作業端末へ出力する
ことを特徴とする放送素材管理システムの素材管理方法。
【請求項５】
入力される放送番組の原素材を編集して放送用の編集素材を作成して出力する編集ビデオサーバと、前記編集ビデオサーバの出力に接続されて前記作成された編集素材が転送入力され、記憶装置に送出素材として蓄積記憶すると共にオンエア時に前記送出素材を読み出してマスターシステムへ向けて送出する送出ビデオサーバと、前記送出ビデオサーバが前記送出する送出素材が入力され保存素材として蓄積記憶するアーカイブビデオサーバとを備えて放送番組の映像信号を扱う放送素材管理システムの素材管理方法において、
前記放送素材管理システムは、
編集ビデオサーバと送出サーバとアーカイブサーバと、
第１、第２、第３の符号化装置と、
作業端末と、
スイッチと、
作業管理手段とを備え、
前記第１、第２、第３の符号化装置は、それぞれ前記編集ビデオサーバ、前記送出ビデオサーバ、前記アーカイブビデオサーバの入力に入力される映像信号を低解像度の符号化データにしてそれぞれ対応する前記スイッチの第１、第２、第３の切替端子へ出力し、
前記作業端末は、前記第１、第２、第３の符号化装置から出力される低解像度の符号化データが前記スイッチを介して入力された場合、入力された符号化データを記憶手段に記憶し、前記入力した、又は前記記憶した前記低解像度の符号化データを記憶手段から読み出し出力するか、または、復号化して出力し、
前記スイッチのコモン端子は、前記対応する作業端末の入力端子に接続され、前記各スイッチの第１、第２、第３の切替端子は前記それぞれ第１、第２、第３の符号化装置から出力される符号化データが入力され、第４の切替端子に前記第３の作業端末が出力する前記低解像度の符号化データが入力され、
各前記スイッチが前記作業管理手段より前記コモン端子の接続先を前記第１から前記第３の切替端子の内何れか１つに設定された場合、前記スイッチは、前記設定された前記符号化装置から入力される前記符号化データを前記作業端末へ出力し、
各前記スイッチが前記作業管理手段より前記コモン端子の接続先を前記第４の切替端子に設定された場合、各前記スイッチは、前記第３の作業端末から前記入力される低解像度の符号化データを前記作業端末へ出力する
ことを特徴とする放送素材管理システムの素材管理方法。
【請求項６】
前記各ビデオサーバと前記作業端末と前記作業管理部とは、前記各ビデオサーバと前記各作業端末と前記作業管理部との間および、更に備えられる素材制御サーバ（ＡＭＳ：Ａｓｓｅｔ  Ｍａｎａｇｅｍｅｎｔ  Ｓｅｒｖｅｒ）との間で送受される制御信号を伝送する制御バスにより接続され、
前記作業端末は、
コマンドの入力手段と前記制御バスとの間の通信手段とを備える情報処理端末であって、前記コマンドの入力手段から前記設定入力手段へ前記スイッチの接続先を指定するコマンドが入力された場合、前記作業管理部へ前記制御バスを介して当該コマンドに係る前記制御信号を送信し、
前記作業管理部は、前記送信されたコマンドを受信した場合、前記設定入力手段により前記スイッチの接続先を前記指定された接続先に切り替えることを
特徴とする請求項４、又は５記載の放送素材管理システムの素材管理方法。
【発明の詳細な説明】
【技術分野】
【０００１】
本発明は、放送局のスタジオのビデオサーバを用いた放送素材管理システム、およびその素材管理方法に関する。
【背景技術】
【０００２】
放送局では、放送する映像信号等のコンテンツデータ（以下、放送素材と称する。）が、映像信号を編集蓄積したビデオサーバからマスターシステムへ向けて送出されるケースが多い。例えば、ドラマ番組や取材記録番組では、放送素材が編集用ビデオサーバで予め編集され、記憶装置に書込み記憶される。そして、編集された放送素材は、送出用サーバの記憶部に転送、記憶された後、素材制御サーバ（ＡＭＳ：Ａｓｓｅｔ  Ｍａｎａｇｅｍｅｎｔ  Ｓｅｒｖｅｒ）の制御に従い、更に読み出されマスターシステムへ向けて送出される。
【０００３】
この様な放送素材の管理方法では、ビデオサーバに入力される、例えば、カメラ映像など、高解像度の素材信号から、低解像度の素材信号がオペレータの作業用に作成されることがある。この低解像度の素材信号は、パーソナルコンピュータの様な情報端末でのモニタ表示に用いて作業参照や処理順序やタイミング制御を行うのに利用されることが多い（例えば、特許文献１。）。
【０００４】
図６は、従来の放送素材管理システムの構成を示す系統図である。  
図６において放送素材管理システムは、素材編集の管理を行うＡＭＳ（素材制御サーバ）７０、ＶＴＲの様な素材送出部１、素材送出部１から出力される原素材信号Ｄ０を放送用コンテンツのデータである編集素材Ｄ１に編集する編集ビデオサーバ２、編集ビデオサーバ２から編集素材Ｄ１を入力蓄積して、オンエアタイミングにマスターシステムＭＳへ向けて送出素材Ｄ２として出力する送出用ビデオサーバ３、送出用ビデオサーバ３からマスターシステムへ向けて送出される送出素材Ｄ２をモニタ入力し、保存素材として記録するアーカイブビデオサーバ４を備える。
【０００５】
そして、前述の各ビデオサーバ２、３、４の入力には、それぞれ作業端末２００Ｍ、３００Ｍ、４００Ｍが各ビデオサーバ２、３、４へ入力される各放送の素材の作業参照用に接続されている。
【０００６】
この作業端末２００Ｍ〜４００Ｍは、各ビデオサーバ２〜４が備える図示されないモニタディスプレイ以外に、上述の作業用の低解像度の参照映像を表示するため、内部、又はその入力と出力系統にそれぞれ低解像度の映像信号に変換表示する機能を備えている。即ち、それぞれの作業端末２００Ｍ〜４００Ｍでは、入力される各素材Ｄ０〜Ｄ２を、低解像度の映像信号に変換し、再び各作業端末２００Ｍ〜４００Ｍが備えるディスプレイ（図示せず）で表示している。
【０００７】
従来の放送素材管理システムでは、これらの作業端末２００Ｍ〜４００Ｍでは低解像度の映像信号は、各作業端末２Ｍ〜４Ｍの内部のテンポラリデータとして扱われ、それらが接続される各ビデオサーバ２〜４での処理、作業が済むと使い捨てられていた。その結果、同じ放送素材を編集に使用する場合、一度作成した低解像度の映像信号（素材）が再利用出来ず、例えば、原放送素材を素材送出部１から再入力するか、編集ビデオサーバ２等の機器から放送素材を読み出して再作成して出力しなければならない問題が有った。
【特許文献１】特開２００２−１７１４７６号公報  （第９頁、第１図）
【発明の開示】
【発明が解決しようとする課題】
【０００８】
従来の放送素材管理システムでは、作成済みの放送素材を利用して編集する場合、作業参照用の低解像度映像を原素材を素材送出部から入力して再作成するか、編集ビデオサーバ等の放送に直接影響を与える可能性を与える機器から放送素材を読み出して低解像度映像信号を再作成しなければならない問題が有った。
【０００９】
本発明は上記問題を解決するためになされたもので、ビデオサーバでの作業参照に用いる低解像度信号を再利用できる放送素材管理システム、およびその素材管理方法を提供することを目的とする。
【課題を解決するための手段】
【００１０】
上記目的を達成するために、本発明の放送素材管理システムは、入力される放送番組の原素材を編集して放送用の編集素材を作成して出力する編集ビデオサーバと、前記編集ビデオサーバの出力に接続されて前記作成された編集素材が転送入力され、記憶装置に送出素材として蓄積記憶すると共にオンエア時に前記送出素材を読み出してマスターシステムへ向けて送出する送出ビデオサーバと、前記送出ビデオサーバが前記送出する送出素材が入力され保存素材として蓄積記憶するアーカイブビデオサーバとを備えて放送番組の映像信号を扱う放送素材管理システムにおいて、それぞれが、入力される低解像度の符号化データを記憶蓄積する記憶手段と、前記入力されるか、又は前記記憶装置から読み出される低解像度の符号化データをディスプレイ手段に表示する復号化して出力する復号化手段とを備える第１、第２、第３の作業端末と、前記編集ビデオサーバの入力に入力される映像信号を低解像度の符号化データにして出力する第１の符号化装置と、前記送出ビデオサーバの入力に入力される映像信号を低解像度の符号化データにして出力する第２の符号化装置と、前記アーカイブビデオサーバの入力に入力される映像信号を低解像度の符号化データにして出力する第３の符号化装置と、それぞれのコモン端子が前記第１、第２、第３の作業端末の入力端子に接続され、それぞれの一方の切替端子が前記第１、第２、第３の符号化装置の出力端子に接続され、他方の切替端子に前記第３の作業端末の前記記憶手段の出力が入力される、第１、第２、第３のスイッチと、前記各スイッチのコモン端子の接続先を各前記符号化装置か、または、前記第３の作業端末の前記記憶手段の出力のいずれかに設定する設定入力手段とを備える作業管理部とを具備することを特徴とする。
【００１１】
また、本発明の放送素材管理システムの素材管理方法は、入力される放送番組の原素材を編集して放送用の編集素材を作成して出力する編集ビデオサーバと、前記編集ビデオサーバの出力に接続されて前記作成された編集素材が転送入力され、記憶装置に送出素材として蓄積記憶すると共にオンエア時に前記送出素材を読み出してマスターシステムへ向けて送出する送出ビデオサーバと、前記送出ビデオサーバが前記送出する送出素材が入力され保存素材として蓄積記憶するアーカイブビデオサーバとを備えて放送番組の映像信号を扱う放送素材管理システムの素材管理方法において、前記放送素材管理システムは、編集ビデオサーバと送出サーバとアーカイブサーバと、第１、第２、第３の符号化装置と、第１、第２、第３の作業端末と、第１、第２、第３のスイッチと、作業管理手段とを備え、前記第１、第２、第３の符号化装置は、それぞれ前記編集ビデオサーバ、前記送出ビデオサーバ、前記アーカイブビデオサーバの入力に入力される映像信号を低解像度の符号化データにしてそれぞれ対応する第１、第２、第３のスイッチへ出力し、前記第１、第２、第３の作業端末は、それぞれ対応する前記第１、第２、第３の符号化装置から出力される低解像度の符号化データが前記スイッチを介して入力された場合、入力された符号化データを記憶手段に記憶し、前記入力した、又は前記記憶した前記低解像度の符号化データを記憶手段から読み出し出力するか、または、復号化して出力し、前記第１、第２、第３のスイッチの各コモン端子は、前記対応する作業端末の入力端子に接続され、前記各スイッチの一方の切替端子は前記それぞれ第１、第２、第３の符号化装置から出力される符号化データが入力され、他方の切替端子に前記第３の作業端末が出力する前記低解像度の符号化データが入力され、各前記スイッチが前記作業管理手段より前記コモン端子の接続先を前記一方の切替端子に設定された場合、各前記スイッチは、それぞれが前記対応する前記符号化装置から入力される前記符号化データをそれぞれが前記対応する各前記作業端末へ出力し、各前記スイッチが前記作業管理手段より前記コモン端子の接続先を前記他方の切替端子に設定された場合、各前記スイッチは、前記第３の作業端末から前記入力される低解像度の符号化データをそれぞれが前記対応する各前記作業端末へ出力することを特徴とする。
【発明の効果】
【００１２】
本発明によれば、ビデオサーバでの作業参照用の低解像度の素材を再利用できる放送素材管理システム、およびその素材管理方法を提供することが出来る。
【発明を実施するための最良の形態】
【００１３】
以下、図面を参照して本発明の実施例を説明する。
【実施例】
【００１４】
図１は、本発明の実施例に係る放送素材管理システムの機能構成を示すブロック図である。  
図１において放送素材管理システムは、ＶＴＲの様な素材送出部１、素材送出部１から出力される原素材信号Ｄ０を放送用コンテンツのデータである編集素材Ｄ１に編集・記憶して収録する編集ビデオサーバ２、編集ビデオサーバ２から編集素材Ｄ１を入力記憶して、オンエアタイミングにマスターシステムＭＳへ向けて送出素材Ｄ２として出力する送出用ビデオサーバ３、送出用ビデオサーバ３からマスターシステムＭＳの系統へ向けて送出される送出素材Ｄ２を入力し、保存素材Ｄ３として記録するアーカイブビデオサーバ４、作業管理部５、ＡＭＳ７（Ａｓｓｅｔ  Ｍａｎａｇｅｍｅｎｔ  Ｓｅｒｖｅｒ：素材制御サーバ）、作業端末２Ｍ、３Ｍ、４Ｍ、及び各構成間を接続し、制御信号を伝送する制御バス６とを備える。
【００１５】
放送素材管理システムは、送出サーバ３を経由してマスターシステムＭＳへも素材信号を出力する接続がされている。マスターシステムＭＳは、ＡＰＣ７７（番組自動送出設備）、マスタスイッチャ７７７を備え、ＡＰＣ７７から番組送出を制御する制御信号が送出サーバ３とマスタスイッチャ７７７へ制御信号を送出し、素材信号を送信設備等へ向けて切り替える制御を行う。なお、この制御信号を伝送する系統は、上記制御バス６が兼ねるものであっても良い。
【００１６】
さて、原素材信号始め、各ビデオサーバが入出力する素材（映像信号）は、オンエアに使用される映像信号のフォーマットで伝送され、各ビデオサーバ内部では、ＭＰＥＧ２フォーマット等、所要の符号化が行われて記憶装置に記憶される。
【００１７】
制御バス６では、ＡＭＳ７が出力する素材送出のコマンド、又は、ＡＭＳ７の制御卓（図示せず。）からオペレータによって入力される各素材の編集や素材（映像信号）の入出力を指示するコマンドやデータを含む制御信号が伝送される。また、作業端末２Ｍ〜４Ｍから入力される、各ビデオサーバの編集の為のコマンドやデータが制御信号も伝送される。
【００１８】
各ビデオサーバ２、３、４の入力には、それぞれ作業端末２Ｍ、３Ｍ、４Ｍが、作業管理部５を経由して各ビデオサーバ２、３、４へ入力される各素材の作業参照用に接続される。作業端末２Ｍ〜４Ｍは、各ビデオサーバ２〜４で行われる作業用の低解像度の参照映像が表示される端末であって、例えば、パーソナルコンピュータの様な情報処理端末である。そして、前述の各種の制御信号が制御バス６を介して自分が接続されるビデオサーバとの間、又は、他の作業端末、もしくは作業管理部５との間で送受信される。
【００１９】
作業端末２Ｍ、３Ｍ、４Ｍへ入力される素材信号の系統は、作業管理部５の手前でそれぞれ符号化装置（以下、ＥＮＣと略す。）２ｅ、ＥＮＣ３ｅ、ＥＮＣ４ｅによって低解像度の符号化データに変換される。そして、作業管理部５のスイッチｓ２〜ｓ４を経て作業端末２Ｍ、３Ｍ、４Ｍに入力される。
【００２０】
通常、スイッチｓ２〜ｓ４は、ビデオサーバ２〜４に入力される素材の映像信号を符号化するＥＮＣ２ｅ〜４ｅが出力する符号化データを作業端末２Ｍ〜４Ｍが入力する様に設定され、後述の様に作業端末４Ｍが記憶した符号化データを編集作業に利用出来るようにも切り替えられる。
【００２１】
それぞれの作業端末２Ｍ〜４Ｍでは、各素材Ｄ０〜Ｄ２がＥＮＣ２ｅ〜４ｅによって低解像度の映像信号に変換されて入力され、内部で再び低速復号化部ＬＤによって、素材（映像信号）に復元され、各作業端末２Ｍ〜４Ｍに接続されるディスプレイＰによって表示される。
【００２２】
また、アーカイブビデオサーバ４に入力される信号が分岐入力される作業端末４Ｍは、低速符号化された送出素材を記憶する記憶装置Ｑを備え、記憶装置Ｑから読み出した素材を復号化して自装置のディスプレイＰに表示する。また作業端末４Ｍの記憶装置Ｑが記憶する低解像度の符号化データは、スイッチｓ２、ｓ３を介して作業端末２Ｍ，３Ｍへも入力可能になっている。
【００２３】
作業端末４Ｍでは、アーカイブサーバ４へ入力される送出素材を低速符号化した保存素材にして記憶装置Ｑに書込記憶する。
【００２４】
通常の編集作業では、作業端末２Ｍ〜４Ｍのディスプレイによって各ビデオサーバに入力される映像信号（素材）が低解像度の符号化データされたものを復号してオペレータが監視する。そして、編集済みの素材を更に再編集する場合、作業端末４Ｍが記憶装置Ｑに記憶している低解像度の符号化データを読み出すと共にスイッチｓ２〜ｓ４のコモン端子の接続先をこの読み出された符号化データを入力するため作業端末４Ｍの符号化データ出力部２３０に切替える。
【００２５】
なお、この場合、作業端末４Ｍが処理したり、入力する符号化データを、スイッチｓ４を介して記憶装置Ｑから（符号化データ出力部２３０の出力）取り込んでも良いし、また、直接内部バスで、記憶装置Ｑとの間で授受されてもどちらでも良く、その設定を入力部２４０にあたるキーボードでコマンド入力するようにしても良い。
【００２６】
図２、図３、図４は、それぞれ、編集ビデオサーバを始めとする各ビデオサーバ２〜４、各作業端末２Ｍ〜４Ｍ、作業管理部５の構成を示す機能ブロック図である。  
図２において、各ビデオサーバ２〜４は、それぞれの間が内部バス等で接続される制御部２１、符号化部Ｅ、復号化部Ｄ、記憶装置２２、ディスプレイ２３、キーボード等からなる入出力部２４、および制御バスとの間の信号入出力を行う通信ＩＦ（インタフェース）２５を備えている。
【００２７】
図３において、各作業端末２Ｍ〜４Ｍは、それぞれの間が内部バス等で接続される制御部２１０、符号化データ入力部２２０、符号化データ出力部２３０、符号化データ等を記憶する記憶装置Ｑ、符号化データ入力部２２０に入力された符号化データ、又は記憶装置Ｑから読み出される符号化データを素材信号（映像信号）に復元する低速復号化部ＬＤ、キーボード等からなる入出力部２４０、および制御バスとの間の信号入出力を行う通信ＩＦ２５０とを備えている。低速復号化部ＬＤの出力はディスプレイＰへ出力され、オペレータによって画面が監視される。
【００２８】
図４において、作業管理部５は、それぞれが、内部バス等で接続される制御バスとの間の信号入出力を行う通信ＩＦ５０、制御部５１、制御部５１に入力信号先を選択するコマンドやデータを入力・表示するスイッチ、キーボード等からなる設定入力部Ｃ、および、制御部５１の制御に従って作業端末２Ｍ〜４Ｍの信号入力先を選択するスイッチｓ２〜ｓ４を備えている。
【００２９】
スイッチｓ２〜ｓ４のコモン端子は、作業端末２Ｍ〜４Ｍの符号化データ入力部２２０へ接続され、スイッチｓ２〜ｓ４の切替え端子の一方は、編集、送出、アーカイブの各ビデオサーバ２〜４の入力先にＥＮＣ２ｅ〜４ｅを介して接続され、他方は、作業端末４Ｍの記憶装置Ｑから読み出される信号を外部に出力する符号化データ出力部２３０に共通接続されている。
【００３０】
作業管理部５の制御部５１は、通常はデフォルト状態としてスイッチｓ２〜ｓ４の信号入力先をそれぞれ編集、送出、アーカイブの各ビデオサーバ２〜４の入力先に接続されるＥＮＣ２ｅ〜４ｅに設定する。そして、オペレータにより設定入力部Ｃから入力先の設定が行われた場合、スイッチｓ２〜ｓ４の接続先を各ビデオサーバ２〜４の入力先か、作業端末４Ｍの符号化データ出力部２３０かのいずれか一方を選択する。
【００３１】
また、作業管理部５は、制御部５１が省略され、例えば、スイッチｓ２〜ｓ４が３回路２接点の様な多段切替スイッチ（トグル、またはロータリー等のスイッチかもしくはリレースイッチ）であって、設定入力部Ｃが接続先をレバー、又はダイヤルもしくは、リレー駆動信号で切り替えるもので省略されても良い。
【００３２】
以下図１〜図４を参照して放送素材管理システムの動作を説明する。  
最初に編集ビデオサーバ２の動作を説明する。ＡＭＳ７、又は、作業端末２Ｍから、素材編集の編集コマンドを制御バス６を介して受信した編集ビデオサーバ２の通信ＩＦ２５は、編集コマンドを、内部バスに出力し、内部バスを監視している制御部２１は、編集コマンドから、所定の編集情報（素材名称や素材信号の入力先等）を判読し、素材送出装置１（ここでは、ＶＴＲとする。）から未編集の映像信号である原素材信号を符号化部Ｅが入力する制御を行う。
【００３３】
符号化部Ｅは、例えばＭＰＥＧ２の様な符号化を行い、また、入出力部２４から入力される素材収録タイミングの指示等により編集素材を作成し、内部バスに出力する。制御部２１は、内部バスから符号化された編集素材を記憶装置２２に書込み、記憶して収録する。
【００３４】
作業管理部５の制御部５１は、デフォルト状態としてスイッチｓ２〜ｓ４の信号入力先をそれぞれＥＮＣ２ｅ〜４ｅに設定する。
【００３５】
作業端末２Ｍでは、素材編集の編集コマンド、例えば、シーンの開始、終了ポイント等を示すコマンドやデータを制御バス６を介して編集用ビデオサーバ２へ送信する。即ち、図３において、入出力部２４０から編集に関わるコマンドが入力されると制御部２１０は、内部バスを介して通信ＩＦ２５０にこのコマンド情報の制御信号を制御バス６へ出力させる。編集ビデオサーバ２は、制御バス６、および通信ＩＦ２５を介して制御信号を受信し、受信したコマンド情報に従い、所定の編集を行った編集素材を記憶装置２２に書込記憶する。
【００３６】
その後、作業端末２Ｍは、オペレータから転送コマンドを入出力部２４０から入力された場合、制御部２１０は、通信ＩＦ２５０と制御バス６を介して編集ビデオサーバ２へ編集素材を送出ビデオサーバ３に転送する制御信号を送信する制御を行う。
【００３７】
また、制御部２１０は、上述の様に作業端末２Ｍが受信する符号化データを、例えば、ＭＰＥＧ４、又は、パーソナルコンピュータ所定の低解像度の映像信号に復号化して出力する制御を行う。
【００３８】
復号化部ＬＤは、内部バスを介して入力される低解像度の符号化映像信号をディスプレイＰが表示する映像信号に復号化して出力することにより、入力される符号化データをモニタ表示出来るようにする。なお、制御部２１０は、例えば、入力部２４０から当該素材信号を保存するコマンドを受信した場合は、記憶装置Ｑに符号化した素材（映像信号）を書込み記憶するか、記憶された符号化データを読み出す処理を行う。
【００３９】
次に、作業端末２Ｍ、又はＡＭＳ７から送出ビデオサーバ３に編集素材を記憶（収録）するコマンドが制御バス６を介して編集ビデオサーバ２と送出ビデオサーバ３とに送出されたとする。
【００４０】
編集ビデオサーバ２の制御部２１は、符号化されて記憶されている編集素材を記憶装置２２から読み出し、内部バスを介して復号化部Ｄへ出力し、復号化部Ｄは、入力された編集素材を復号化した映像信号にして送出ビデオサーバ３に出力する。
【００４１】
編集素材を受信する送出ビデオサーバ３と作業端末３Ｍでの動作は、原素材信号を受信した編集ビデオサーバ２に関わる動作と同様なので詳細説明は称略するが、送出素材が送出ビデオサーバ３の記憶装置２２へ書込記憶される。
【００４２】
さて、アーカイブサーバ４の制御部２１は、通信ＩＦ２５を介して制御バス６を伝送する制御信号を監視している。そして、ＡＭＳ７から、送出ビデオサーバ３が収録している送出素材をオンエアするコマンドが出力された場合、アーカイブサーバ４の制御部２１は、マスターシステムへ向けて出力された送出素材を上記同様にアーカイブサーバ４の記憶装置２２へ書込記憶する制御を行う。
【００４３】
また、作業端末２Ｍ、３Ｍでは、低解像度の符号化データは、自装置の記憶装置Ｑに記憶するコマンドがＡＭＳ７、又は、設定入力部Ｃから入力されない限り記憶装置Ｑに記憶されない。しかし、本発明の実施例における作業端末４Ｍでは、アーカイブビデオサーバ４に入力される送出ビデオ信号は、原則として、常にその記憶装置Ｑに低解像度に符号化されたデータが書込記憶される。従って、作業端末４Ｍの記憶装置Ｑは、大容量にされていることが望ましい。
【００４４】
以上の、動作は、最初に原素材信号が利用される場合の放送素材の管理方法である。  
続いて、一度オンエアされた素材を再利用して編集する場合の放送素材管理システムの動作について説明する。
【００４５】
編集ビデオサーバ２が収録している、例えば、報道記録の編集素材（以下、編集素材Ａと呼ぶ。）を再編集してダイジェスト版の編集素材（以下、編集素材Ｂと呼ぶ。）を作成する場合、オペレータは、編集ビデオサーバ２を起動する。そして、作業端末２Ｍと、編集ビデオサーバ２とを操作することにより、ディスプレイＰをモニタして予備確認等を行う。
【００４６】
従来は、作業端末２Ｍで再編集の操作時にディスプレイＰでモニタする映像は、素材送出装置１から原素材信号を再出力し、編集ビデオサーバ２へ入力される素材（映像信号）を低解像度に符号化した映像信号により表示されていた。言い換えれば、予備確認の為に原素材信号を読み出す必要があり、編集前の長い時間再生される映像をレビューしなければならず、加えて本来不要な負荷を素材送出装置１にかけ、システムの余裕を少なくしていた。
【００４７】
本実施例では、再編集する場合、オペレータによって、例えば、ＡＭＳ７の制御卓からか、または、作業端末２Ｍの入出力部２４０から上記の再編集を行う編集コマンドが入力されると共に、作業管理部５の設定入力部Ｃもスイッチｓ２の入力先を作業端末４Ｍの出力に切り替える設定が行われる。そして、作業端末４Ｍの記憶装置Ｑが記憶している低解像度に符号化された保存素材Ａが符号化データ出力部２３０から出力され、スイッチｓ２を介して作業端末２Ｍの符号化データ入力部２２０へ入力される。
【００４８】
この様に、低解像度のデジタル符号化データを転送することにより、映像信号が低速のデータで伝送されるのでスタジオ内での映像信号を伝送する系統、ネットワークを小容量ですませることが出来、またデジタル信号であるので伝送中の信号品質の劣化を防ぐ効果がある。
【００４９】
作業端末４Ｍから保存素材Ａを読み出す（出力する）方法は、例えば、作業端末４Ｍのキーボード等による入出力部２４０から所定のファイル出力又は、映像表示のコマンドを入力すればよい。また、他の方法として、制御バス６を介して作業端末２Ｍから作業端末４Ｍへ向けてファイル出力又は、映像表示のコマンドを入力するものであってもよい。
【００５０】
この保存素材Ａは、放送された素材を記録保存するものであるが、その内容は、編集素材Ａが低解像度で符号化されたデータが記憶されている。
【００５１】
作業端末２Ｍは、この保存素材Ａが低解像度で符号化したデータが再入力されると低速復号化部ＬＤで復号することにより編集素材Ａと同様の保存素材Ａが低解像度で作業端末２ＭのディスプレイＰで表示可能になる。
【００５２】
オペレータは、この保存素材Ａを先に述べた方法により作業端末２ＭのディスプレイＰ上で予備確認（プレビュー）を行い、例えば、所望のシーンの切り取り開始および終了のタイミングを指定するコマンドやデータを作業端末２Ｍの入出力部２４０から入力する。
【００５３】
タイミング指定など作業端末２Ｍの動作処理については、詳細説明を省略するが、保存素材Ａから画面表示タイミングのタイムタグ情報などを読み出し、オペレータがそれらを編集のデータとして入出力部２４０から入力する。
【００５４】
一方、編集ビデオサーバ２の制御部２１は、制御バス６を介してオペレータに設定されたＡＭＳ７からの再編集コマンドを受信すると記憶装置２２に記憶している編集素材Ａを読み出す準備をする。そして、制御バス６を介して作業端末２Ｍから上述の編集コマンド等を受信すると、制御部２１は、編集素材Ａを読み出し、そのコマンド、データに従って所要の編集をする制御を行い、編集素材Ｂを生成して記憶装置２２に書き込み記録する。
【００５５】
編集ビデオサーバ２が編集素材Ｂを記憶後、編集ビデオサーバ２から送出ビデオサーバ３へ編集素材Ｂが転送、記憶される処理手順、また放送時に送出ビデオサーバ３から送出された送出素材Ｂがアーカイブビデオサーバ４で保存素材Ｂとして書き込み記憶されることは、通常の編集素材がオンエアされるまでの処理手順と同じである。また、オンエアされたときに、低解像度の保存素材Ｂが、作業端末４Ｍの記憶装置Ｑに記録されることも同様である。
【００５６】
図５は、本発明の実施例に係わる放送素材管理システムの構成の他の例を示す系統図である。  
図５において、放送素材管理システムは、図１における構成から作業端末２Ｍ、３Ｍと、作業管理部５のスイッチｓ２、ｓ３とが省略されている。スイッチｓ４は、コモン端子が、作業端末４Ｍの入力（図３の符号化データ入力部２２０）へ接続され、各切替端子がＥＮＣ２ｅ、３ｅ、４ｅ、および作業端末４Ｍの出力（図３の符号化データ出力部２３０）に接続されるものに変更されている。
【００５７】
作業管理部５の設定入力部Ｃは、オペレータが作業端末４Ｍの入力先を各ＥＮＣ２ｅ〜４ｅ、および作業端末４Ｍの記憶装置Ｑから符号化データ出力部２３０を介して出力される符号化データとのうち何れかをスイッチｓ４から選択するようにしている。それ以外は、図１に示される放送素材管理システムと動作処理は同様であって、作業端末等の装置が少なくて済む利点がある。
【００５８】
作業端末４Ｍは、記憶装置Ｑに記憶している保存素材の符号化データを低速復号化部ＬＤを介してディスプレイＰから表示するように設定する。また、記憶装置Ｑに記憶している符号化データをスイッチｓ４、および符号化データ入力部２２０を介して取り込み復号化するようにしても、また内部バスを経由して制御部始め復号化処理に関わる機能回路が取り込んで処理しても良い。
【００５９】
以上説明した如く、本発明の実施例における放送素材管理システムでは、従来、編集終了と共に廃棄されていた低解像度の映像信号再生用のファイル、即ち保存素材をアーカイブサーバでの保存素材を作成する時に作業端末の記憶装置に符号化データとして記憶保存し、それを再び読み出して利用することにより一度編集された映像情報（編集素材）を再編集する際のプレビューに活用することが出来る。
【図面の簡単な説明】
【００６０】
【図１】本発明の実施例に係わる放送素材管理システムの構成を示す系統図。
【図２】ビデオサーバの構成を示す機能ブロック図。
【図３】作業端末の構成を示す機能ブロック図。
【図４】作業管理部の構成を示す機能ブロック図。
【図５】本発明の実施例に係わる放送素材管理システムの構成の他の例を示す系統図。
【図６】従来の放送素材管理システムの構成を示す系統図。
【符号の説明】
【００６１】
１  素材送出装置
２  編集ビデオサーバ
３  送出ビデオサーバ
４  アーカイブビデオサーバ
２Ｍ、３Ｍ、４Ｍ  作業端末
２１、２１０、５１  制御部
２２、Ｑ  記憶装置
２２０  符号化データ入力部
２３、Ｐ  ディスプレイ
２３０  符号化データ出力部
２４、２４０  入出力部
２５、２５０、５０  通信ＩＦ、
５  作業管理部
６  制御バス
７  ＡＭＳ（素材管理サーバ）
Ｄ、ＬＤ  復号化部
Ｅ、ＬＥ  符号化部
ｓ２〜ｓ４、ｓ４１  スイッチ
Ｃ  設定入力部
Ｐ  ディスプレイ
【図１】
2008060738.tif 000003
【図２】
2008060738.tif 000004
【図３】
2008060738.tif 000005
【図４】
2008060738.tif 000006
【図５】
2008060738.tif 000007
【図６】
2008060738.tif 000008